(57)【要約】      （修正有）【課題】核燃料棒炎焼状態を消化・消火する。【解決手段】冷却を水に替えて液化窒素を冷媒の主役とする直接接触により効力を最大とし、長期の消化対応を０．５年間程度に収める様にする消化方法を提案する。又、飛散した燃料棒を発見できる、発見ロボット、回収ロボットを提案するものである。【選択図】図５
2013029486.tif 000002
【特許請求の範囲】
【請求項１】
2013029486.tif 000004
高冷媒物を核燃料火災極近付近に作用させる冷却方法。小体積中内に核収納箱等膜包含シートの組立等による。
【請求項２】
人がその燃焼物・燃焼冷却物水容液中極近霧囲気で活動可能な専水服防護服（内部に、アルカリ性電子放射器を付属は別）外部に強力冷媒の循環膜層を造り高温でも活動できる消火用防護服、
【請求項３】
高温に耐える耐火金属等により内部電気回路等を保護したロボットを造り、（アルカリ性電子放射装置を設け放射線に対し保護した）消火作業活動可能と
2013029486.tif 000005
いて作業できる、ロボット
【請求項４】
請求項２において内部に人命保護アルカリ性電子放射器を設備した核消化作業用防護服
【請求項５】
請求項３においてアルカリ性電子放射装置を取付けないロボット。
【請求項６】
消化後の核燃料棒等に一定時間アルカリ性電子を当てて中和・線量・電磁波・光子を消化する、方法。
【請求項７】
請求項６の後に、液体状固化物質（水ガラス・水硬性ウレタンなど）で固める、処理一次的方法。
【請求項８】
請求項３の箱を先に持ちアーム中を冷却冷媒を送るパイプが設けてあるアームロボット
【請求項９】
請求項３のロボットの先端にカメラを持つ調査用小型虫形ロボット
【請求項１０】
調求項９のロボットにカニはさみ形アームを持つ持運び中型細ロボット。
【発明の詳細な説明】
【０００１】
【発明の分野】
【０００２】  原子力発電所における汚染含有（核種含有）汚染に対応する為の考え方・方法を提案すると同時に方法作業に必要な装置も合せて提案する
放射線の特に漏水の根本原因の格納器等核燃料棒火災の消化を明確化するものであり消化により核種の拡散を防止し、環境を正常化する方法を示す
したがって、核種の放射線分野としての改善内容を示すものである。
今までにない新たな思想を示すものであると言える。（一般に世の中では常識に全くない事像である。
【０００３】従来  核設備の原子力発電の破壊による核の拡散時の処理は確立しておらずその方法といっても高温に達した格納設備やその含有汚染物水溶液等を冷却して温度を下げ冷温保管になり活性が低下するのを待つ事しかなかった。
したがって長い時間放置状態にするのが一般的方法として受入れるしかないと考えられている。
その間１０年〜２０年といった多大な時間放射線を発し続け周囲環境を悪化させ、対人に２次・３次的食物害や医療的害を持たらし続けることを目認するしかない状態が継続するのである
しかるに本改良点を以下に示す。
福島原発漏洩放射線汚染水においては、特別なゼオライト・シリカ等の物質をカラムに入れ、そこを通過させ一部放射線が除去できる方法を含む水循環方式で水冷却を試ているがそのまま続けても１０年以上の時間焼え続けると指適を受けている。
【果題】
【０００４】水にて冷却することがはたして冷却の最良の方法かどうかを考えると、なぜ水温なのか疑問である
放射線含有水は、かなりの高温である事が知られている、塩水溶液として拡散をおさえようとし汚染物を浄化（洗い流す）ようにして流しそれを格納機に回して冷却するとの事であるが相手が１００°以上で５００℃に近い温度となるというのに水は４℃（標準）であるので循環中のものは、高温水となっている。
これを送り回しても効果は低く、燃焼は収まらずせいぜい数百度はある状態で放射線を出し続ける状態のままである。
したがって，自然消去を持つ事になる，他に方法は考えられていない。
この冷却の新たな方法を見つける事や放射線濃度を低下させる事が果題となった。
【果題の解決方法】
【０００５】  まず冷去の為に水よりも低温度の冷媒は低温でも液体で存在するアルコールが考えうるがマイナス３０℃程度になるが有機物でガラス等で分離した使い方が考えられる。
次に不活性にできる窒素が考えられるが、これは液状物は−２００℃以上の冷温であるので都合が良い。これらをうまく焼えている核燃料自体になるべく直接作用して消化する方法を考えられるか検討した。
この方法の為に実際近くまで行く人やロボットにこれらを作用させる基本が可能かどうかが重大である。
そこで、水溶液が高温であるのでまず専水服やロボット内の温度をまず低温に依持できる事を目指し  そして、核燃焼棒等を格納できるボックスやシート等の図の様な形のもので包含して  そこに  人かロボットが液体窒素等を直接により又は、極近接状態で作用すればよい。又、その際に人やロボットに対する放射能熱の影響を低下できるものを付属（一例として、アルカリ性電子放射線放射器の付属）を提案し、安全に効力できる方法とし提案するものである。
【０００６】  アルカリ性電子放射器は、素材のアルカリ性触媒や抗酸化物等、吸着剤等にある基本的な新エネルギーとしての負荷電子だけの力で従来の酸性電子で不可能な酸化性の消去力を持つので放射器からその力を放って先の物をアルカリ化する事ができ物質を直接作用させないので鉱物、その他の物がじゃまならず効も高い
そこで本件の人の保護の専水服の外部に装置を付属させたりロボットの中に付属させボディーを保護したり電子回路を冷却物とともに使用し保護したりする事ができる。
又、核燃焼棒などが低温に近ずいた時に処理する為にこれにアルカリ性電子を作用させ前処理的に放射線を低下させることに使えば有効となります。（高温時も使えば、それも高効果とする可能性がある。）
温度が１００°以下に下がる為に重ねて冷媒を作用させるのが循環ではなく、直接急冷却物として火消（−２００℃以下の窒素等にて）する方法で対応するのである，その為，コスト安の為，箱状の小空間に包含して吹き入れる様にする必要がある。
原発の格納器等内部の消火を直接行なう事については核の恐れにより全く考えられていない事であり、新たな思想の開拓と言えるものであろう。
完全に熱・核種に対応する為の発想を具体化したと言える。
中には検討された内容も含む部分はあっても総合的に利用方法の組合せ等の効力に大きな差があると言える。
【０００７】
2013029486.tif 000003
見付けるための調査が必要であるので水溶液中では、カメラ等を付属した専水ロボットの情報等をもって確認する事が必要であるが亀裂の中に落下している事も十分有るので専用の小レンズカメラ付小ボディーロボを必要とする。
それらで確認後、回収ロボットですくい上げて集める。その後に、アーム形ボックスロボットのアーム先の箱につつみアーム中の通路内のパイプにより箱内に冷媒を十満させる。以上の流れによって行なえば見つけ出し消（去）火を行なえると考えられる。
【効果】
【０００８】  高濃度の液体窒素水により直接核燃焼に対して効力する人工的包含膜内の小体積量中にて液化窒素等による急冷却を直接行なえ消火する事ができる。又、液化窒素等の包含膜もれは、計算中にあり周囲の液体水容液等を冷却できる、今までにない消化（核燃焼物）方法。
このように直接冷却できる為液化窒素等の冷媒を多量使用しないコスト的効果が高い。
又、人的保護にて火災物に近ずく方法の一冷却方法として、専水服の外に冷媒（液体窒素の膜により熱を断って活動し易すくする方法も提案できる。
以上の両者の方法で人が核燃料の燃焼時に燃料物質を包み込み、ワイヤー等で袋状に小体積内にとじ込めて、強力な液体窒素内において消化できるシステムを提供するものである。
あるいは、別の箱等の組立物をロボット等に作業させてその箱物に閉じ込めることにより、ホース継ぎ等の作業も含めて行なわせるシステムも可能であり提案する。（包含膜として金属、樹脂等の組立物を用いる。）
全ての工程において、アルカリ性電子を放射して対人、対放射能に対向することにより安全性が高まる。
消化後の燃料棒に放射して線量を低下させて、水ガラス等を注入して固化する必要がある事は基本的技術作業である。
【図面の簡単な説明】
【第１図】
核燃料棒拡散燃焼状況図
【第２図】
燃料棒包含用袋シート図、
【第３図】
人専水用特殊冷却装置付属消化服
【第４図】
人防護用水中領域冷却ボンベ装置
【第５図】
包含シート注入液体窒素消火状態例図
【第６図】
カニばさみ閉所取出ロボット（調査カメラ付）
【第７図】
亀裂内調査カメラ、
【第８図】
先端ボックス付アームロボット
アーム内パイプ冷去媒輸送装置付の消火作動状態図
【符号の説明】１、冷却用水溶液、
２、核燃料燃状態物（棒状等）
３、高温汚染冷却水
４、汚染冷却水
５、核物質格納膜
６、ワイヤー出口部
７、ワイヤー等
８、ワイヤー結部、
９、人保護冷却膜（水中用）
１０、手先出入口
１１、液体窒素ボンベ
１２、ボンベホース
１３、冷却窒素水
１４、汚染水（放射線含有汚染水）
１５、高濃度液体窒素水
１６、膜しぼり口
１７、膜しぼり横結線ワイヤー
１８、核燃料物質（棒状等）
１９、レンズ
２０、ボックス付アーム
２１、アルカリ性電子放射器
【図１】
2013029486.tif 000006
【図２】
2013029486.tif 000007
【図３】
2013029486.tif 000008
【図４】
2013029486.tif 000009
【図５】
2013029486.tif 000010
【図６】
2013029486.tif 000011
【図７】
2013029486.tif 000012
【図８】
2013029486.tif 000013
【手続補正書】
【提出日】平成23年11月24日(2011.11.24)
【手続補正３】
【補正対象書類名】明細書
【補正対象項目名】全文
【補正方法】変更
【補正の内容】
【発明の詳細な説明】
【０００１】
【発明の分野】
【０００２】  原子力発電所における汚染含有（核種含有）汚染に対応する為の考え方・方法を提案すると同時に方法作業に必要な装置も合せて提案する
放射線の特に漏水の根本原因の格納器等核燃料棒火災の消化を明確化するものであり消化により核種の拡散を防止し、環境を正常化する方法を示す
したがって、核種の放射線分野としての改善内容を示すものである。
今までにない新たな思想を示すものであると言える。（一般に世の中では常識に全くない事像である。
【０００３】従来  核設備の原子力発電の破壊による核の拡散時の処理は確立しておらずその方法といっても高温に達した格納設備やその含有汚染物水溶液等を冷却して温度を下げ冷温保管になり活性が低下するのを待つ事しかなかった。
したがって長い時間放置状態にするのが一般的方法として受入れるしかないと考えられている。
その間１０年〜２０年といった多大な時間放射線を発し続け周囲環境を悪化させ、対人に２次・３次的食物害や医療的害を持たらし続けることを目認するしかない状態が継続するのである
しかるに本改良点を以下に示す。
福島原発漏洩放射線汚染水においては、特別なゼオライト・シリカ等の物質をカラムに入れ、そこを通過させ一部放射線が除去できる方法を含む水循環方式で水冷却を試ているがそのまま続けても１０年以上の時間焼え続けると指適を受けている。
【果題】
【０００４】水にて冷却することがはたして冷却の最良の方法かどうかを考えると、なぜ水温なのか疑問である
放射線含有水は、かなりの高温である事が知られている、塩水溶液として拡散をおさえようとし汚染物を浄化（洗い流す）ようにして流しそれを格納機に回して冷却するとの事であるが相手が１００°以上で５００℃に近い温度となるというのに水は４℃（以上）であるので循環中のものは、高温水となっている。
これを送り回しても効果は低く、燃焼は収まらずせいぜい数百度はある状態で放射線を出し続ける状態のままである。
したがって，自然消去を持つ事になる，他に方法は考えられていない。
この冷却の新たな方法を見つける事や放射線濃度を低下させる事が果題となった。
【果題の解決方法】
【０００５】  まず冷去の為に水よりも低温度の冷媒は低温でも液体で存在するアルコールが考えうるがマイナス３０℃程度になるが有機物でガラス等で分離した使い方が考えられる。
次に不活性にできる窒素が考えられるが、これは液状物は−１５０℃以上の冷温であるので都合が良い。これらをうまく焼えている核燃料自体になるべく直接作用して消化する方法を考えられるか検討した。（液体窒素は、−１９８℃とされる。）
この方法の為に実際近くまで行く人やロボットにこれらを作用させる基本が可能かどうかが重大である。
そこで、水溶液が高温であるのでまず専水服やロボット内の温度をまず低温に依持できる事を目指し  そして、核燃焼棒等を格納できるボックスやシート等の図の様な形のもので包含して  そこに  人かロボットが液体窒素等を直接により又は、極近接状態で作用すればよい。又、その際に人やロボットに対する放射能熱の影響を低下できるものを付属（一例として、アルカリ性電子放射線放射器の付属）を提案し、安全に効力できる方法とし提案するものである。
【０００６】  アルカリ性電子放射器は、素材のアルカリ性触媒や抗酸化物等、吸着剤等にある基本的な新エネルギーとしての負荷電子だけの力で従来の酸性電子で不可能な酸化性の消去力を持つので放射器からその力を放って先の物をアルカリ化する事ができ物質を直接作用させないので鉱物、その他の物がじゃまならず効も高い
そこで本件の人の保護の専水服の外部に装置を付属させたりロボットの中に付属させボディーを保護したり電子回路を冷却物とともに使用し保護したりする事ができる。
又、核燃焼棒などが低温に近ずいた時に処理する為にこれにアルカリ性電子を作用させ前処理的に放射線を低下させることに使えば有効となります。（高温時も使えば、それも高効果とする可能性がある。）
温度が１００°以下に下がる為に重ねて冷媒を作用させるのが循環ではなく、直接急冷却物として火消（−２００℃以下の窒素等にて）する方法で対応するのである，その為，コスト安の為，箱状の小空間に包含して吹き入れる様にする必要がある。
原発の格納器等内部の消火を直接行なう事については核の恐れにより全く考えられていない事であり、新たな思想の開拓と言えるものであろう。
完全に熱・核種に対応する為の発想を具体化したと言える。
中には検討された内容も含む部分はあっても総合的に利用方法の組合せ等の効力に大きな差があると言える。
【０００７】  高温水が飛散した割棒になりコーナーやＧＬ下の亀裂中に入り込む事もあるその様な表面にない狭所にある熱源を長く延びた熱電対とその先端部が自由自在に曲げたりだこうさせながら延び移動できるロボットで方向や距離を測定し、赤外線カメラなどにより映像も送り情報発信により飛散の核燃料棒を見付けるための調査が必要である。なお水溶液中では、カメラ等を付属した専水ロボットの情報等をもって確認する事が必要であるが亀裂の中に落下している事も十分有るので専用の小レンズカメラ付小ボディーロボを必要とする。
それらで確認後、回収ロボットですくい上げて集める。その後に、アーム形ボックスロボットのアーム先の箱につつみアーム中の通路内のパイプにより箱内に冷媒を十満させる。以上の流れによって行なえば見つけ出し消（去）火を行なえると考えられる。
【効果】
【０００８】  高濃度の液体窒素水により直接核燃焼に対して効力する人工的包含膜内の小体積量中にて液化窒素等による急冷却を直接行なえ消火する事ができる。又、液化窒素等の包含膜もれは、計算中にあり周囲の液体水容液等を冷却できる、今までにない消化（核燃焼物）方法。
このように直接冷却できる為液化窒素等の冷媒を多量使用しないコスト的効果が高い。
又、人的保護にて火災物に近ずく方法の一冷却方法として、専水服の外に冷媒（液体窒素の膜により熱を断って活動し易すくする方法も提案できる。
以上の両者の方法で人が核燃料の燃焼時に燃料物質を包み込み、ワイヤー等で袋状に小体積内にとじ込めて、強力な液体窒素内において消化できるシステムを提供するものである。
あるいは、別の箱等の組立物をロボット等に作業させてその箱物に閉じ込めることにより、ホース継ぎ等の作業も含めて行なわせるシステムも可能であり提案する。（包含膜として金属、樹脂等の組立物を用いる。）
全ての工程において、アルカリ性電子を放射して対人、対放射能に対向することにより安全性が高まる。（食医用サンゴ、食医用ゼオライト等の微粉末などによる）
消化後の燃料棒に放射して線量を低下させて、水ガラス等を注入して固化する必要がある事は基本的技術作業である。
【図面の簡単な説明】
【第１図】
核燃料棒拡散燃焼状況図
【第２図】
燃料棒包含用袋シート図、
【第３図】
人専水用特殊冷却装置付属消化服
【第４図】
人防護用水中領域冷却ボンベ装置
【第５図】
包含シート注入液体室素消火状態例図
【第６図】
カニばさみ閉所取出ロボット（調査カメラ付）
【第７図】
亀裂内調査カメラ、
【第８図】
先端ボックス付アームロボット
アーム内パイプ冷去媒輸送装置付の消火作動状態図
【符号の説明】１、冷却用水溶液、
２、核燃料燃状態物（棒状等）
３、高温汚染冷却水
４、汚染冷却水
５、核物質格納膜
６、ワイヤー出口部
７、ワイヤー等
８、ワイヤー結部、
９、人保護冷却膜（水中用）
１０、手先出入口
１１、液体窒素ボンベ
１２、ボンベホース
１３、冷却窒素水
１４、汚染水（放射線含有汚染水）
１５、高濃度液体窒素水
１６、膜しぼり口
１７、膜しぼり横結線ワイヤー
１８、核燃料物質（棒状等）
１９、レンズ
２０、ボックス付アーム
２１、アルカリ性電子放射器
【手続補正４】
【補正対象書類名】特許請求の範囲
【補正対象項目名】全文
【補正方法】変更
【補正の内容】
【特許請求の範囲】
【請求項１】
2013029486.tif 000014
高冷媒物を核燃料火災極近付近に作用させる冷却方法。小体積中内に核収納箱等膜包含シートの組立等による。
【請求項２】
人がその燃焼物・燃焼冷却物水容液中極近霧囲気で活動可能な専水服防護服（内部に、アルカリ性電子放射器を付属は別）外部に強力冷媒の循環膜層を造り高温でも活動できる消火用防護服、
【請求項３】
高温に耐える耐火金属等により内部電気回路等を保護したロボットを造り、（アルカリ性電子放射装置を設け放射線に対し保護した）消火作業活動可能、液体窒素等冷媒放射ロボット  および  消化用防護（電子回路制御情報通信付冷媒放射）服
て作業できる、ロボット
【請求項４】
請求項２において内部に人命保護アルカリ性電子放射器を設備した核消化作業用防護服
【請求項５】
請求項３においてアルカリ性電子放射装置を取付けないロボット。
【請求項６】
消化後の核燃料棒等に一定時間アルカリ性電子を当てて中和・線量・電磁波・光子を消化する、方法。
【請求項７】
請求項６の後に、液体状固化物質（水ガラス・水硬性ウレタンなど）で固める、処理一次的方法。
【請求項８】
請求項３の箱を先に持ちアーム中を冷却冷媒を送るパイプが設けてあるアームロボット
【請求項９】
請求項３のロボットの先端にカメラを持つ調査用小型虫形ロボット
【請求項１０】
調求項９のロボットにカニはさみ形アームを持つ持運び中型細ロボット。
【請求項１１】
液体窒素を冷媒として核物質燃焼物周囲を満す消化方法〔核物質燃焼状態を１００℃を下回る水冷等状態にする低温冷却状態の消化に対して温度レベルが約２００°程度低温で作用する〕
【請求項１２】
液体窒素にイオン交換物質  アルカリ性電子発生物を混合した消化剤
【請求項１３】
液体窒素にゼオライトの混入された核燃料火災用消化剤
【請求項１４】
熱電対がヒゲ状等に付属または赤外線感知温度センサー  により  熱源方向を測定感知、距離感知可能な移動でき核燃料の形状・位置を情報送信（映像）するロボット。
【請求項１５】
長い熱電対をヒゲ状に付属しロール等に巻付ける内蔵型とし、先端が自由自在に曲がる構造で狭所に侵入可能なロボット（発見ロボット）
狭所溝や亀裂に入り込む熱源を発見等やパイプに入り込だ曲所などにも入り込んで発見できる新たな溝造を持つ。